【事件の表示】
　特許第３２３１４５１号「ファクシミリ装置」の請求項１ないし６に係る特許に対する特許異議の申立てについて、次のとおり決定する。
【結　論】
　訂正を認める。
　特許第３２３１４５１号の請求項１ないし５に係る特許を取り消す。
【理　由】
１．手続の経緯
　特許第３２３１４５１号の請求項１〜６に係る発明は、平成５年２月２４日に特許出願され、平成１３年９月１４日に特許権の設定登録がなされたものであり、その後、特許異議申立人キヤノン株式会社により本件特許に対して特許異議の申立がなされ、当審により平成１４年８月５日に取消理由が通知され、その期間内である平成１４年１０月９日に訂正書が提出され、さらに、当審により平成１４年１０月１８日に訂正拒絶理由が通知されたものである。
　
　
２．訂正の適否について
（１）訂正の内容
　特許権者が、訂正請求において求めている訂正の内容は、次のとおりである。
　
（訂正事項Ａ）
　特許請求の範囲の請求項１に係る記載
「【請求項１】
　薄い原稿の原稿給紙排出手段と、厚み原稿が載置される原稿読取り面と、該原稿読取り面の開閉自在カバーと、カット紙タイプの記録紙に上記原稿のイメージ又はファクシミリ受信画像情報を記録する手段とを備えたファクシミリ装置であって、
　上記カバー側に設けられた原稿給紙トレイ部及び原稿排紙トレイ部と、
　上記原稿給紙トレイ部に載置された上記薄い原稿をＵターン搬送し上記原稿排紙トレイ部に導く原稿Ｕターン搬送手段と、
　上記原稿給紙トレイ部に載置された上記薄い原稿の読み取りの場合には該原稿の搬送路に対向し、上記原稿給紙トレイ部から搬送された原稿のイメージを読取り、上記原稿読取り面に載置された上記厚み原稿の読み取りの場合には該原稿読取り面に対向し、上記原稿読取り面に載置された原稿のイメージを読取るイメージ読取手段と、
　上記カット紙タイプの記録紙を収納する記録紙カセットと、
　上記記録紙カセットのカット紙タイプの記録紙に対向し、該記録紙に上記原稿のイメージ又はファクシミリ受信画像情報を記録する記録手段と、
　上記ファクシミリ装置のケースの一部から成り、該ケースの一部が上記イメージ読取り手段と上記カセットとの間に位置し、該ケースの一部にて上記カセットから排出された上記記録紙を受ける記録排紙トレイ部とを備え、
　上記記録紙カセットが、上記ファクシミリ装置本体にその正面から手前方向に引き出し可能に内蔵され、
　上記原稿読取り面の上側に上記原稿給紙トレイ部、上記原稿排紙トレイ部及び上記原稿搬送手段を配置し、上記原稿読取り面の下側に上記イメージ読取手段及び上記記録紙カセットを配置し、
　上記記録排紙トレイ部のケースの一部が、上記イメージ読取手段の下側に配置され、かつ上記記録紙カセットの上面を覆うように構成されたことを特徴とするファクシミリ装置」を、
「【請求項１】
　薄い原稿の原稿給紙排出手段と、厚み原稿が載置される原稿読取り面と、該原稿読取り面の開閉自在カバーと、カット紙タイプの記録紙にファクシミリ受信画像情報を記録する手段とを備え、薄い原稿及び厚み原稿を読取ってファクシミリ送信を可能としたファクシミリ装置であって、
　上記カバー側に設けられた原稿給紙トレイ部及び原稿排紙トレイ部と、
　上記原稿給紙トレイ部に載置された上記薄い原稿をＵターン搬送し上記原稿排紙トレイ部に導く原稿Ｕターン搬送手段と、
　上記原稿給紙トレイ部に載置された上記薄い原稿の読み取りの場合には該原稿の搬送路に対向し、上記原稿給紙トレイ部から搬送された原稿のイメージを読取り、上記原稿読取り面に載置された上記厚み原稿の読み取りの場合には該原稿読取り面に対向し、上記原稿読取り面に載置された原稿のイメージを読取るイメージ読取手段と、
　上記カット紙タイプの記録紙を収納する記録紙カセットと、
　上記記録紙カセットの上方の位置に配置され、該カセットからのカット紙タイプの記録紙に対向し、該記録紙にファクシミリ受信画像情報を記録する記録手段と、
　上記ファクシミリ装置のケースの一部から成り、該ケースの一部が上記イメージ読取り手段と上記カセットとの間にファクシミリ装置本体から外部に出っ張らないように位置し、該ケースの一部にて上記カセットから排出され、記録紙に対向するように配置された上記記録手段にて記録された上記記録紙を受ける記録排紙トレイ部とを備え、
　上記記録紙カセットが、上記ファクシミリ装置本体にその正面から手前方向に引き出し可能に内蔵され、
　上記原稿読取り面の上側に上記原稿給紙トレイ部、上記原稿排紙トレイ部及び上記原稿搬送手段を配置し、上記原稿読取り面の下側に上記イメージ読取手段及び上記記録紙カセットを配置し、
　上記記録排紙トレイ部のケースの一部が、上記イメージ読取手段の下側に配置され、かつ上記記録紙カセットの上面を覆うように構成されたことを特徴とするファクシミリ装置」
と訂正する。
　
（訂正事項Ｂ）
　特許請求の範囲の請求項６を削除する。
　
（２）訂正の適否
　訂正事項Ａおよび訂正事項Ｂの訂正について、その訂正の適否を検討する。
　
　訂正事項Ａについて
　「上記原稿のイメージ又はファクシミリ受信画像情報」を「ファクシミリ受信画像情報」に訂正した点は、択一的記載における一方の要素を削除することで特許請求の範囲の減縮を目的とした訂正に該当する。
　「とを備え」と「たファクシミリ装置」との間に「、薄い原稿及び厚み原稿を読取ってファクシミリ送信を可能とし」を追加した点は、「ファクシミリ装置」に「薄い原稿及び厚み原稿を読取ってファクシミリ送信を可能とし」たことの限定を付加したものであって、本件特許公報の段落【００１７】の「送信すべき薄いシート状の原稿１０」、同段落【００２４】の「原稿１０の送信に際しては、（中略）その際、原稿１０のイメージがイメージ読取り部５のラインセンサによって読み取られ」、および、同段落【００２６】の「また、厚みのある原稿１１の送信に際しては、原稿カバー６を持ち上げ、原稿読取り面１３上に原稿１１を載置し、その原稿１１を原稿カバー６で原稿読取り面１３上に押し付けることにより送信する。」なる記載に依拠したものであるから、この訂正は特許請求の範囲の減縮を目的とした訂正に該当する。
　「カセットの」と「カット紙タイプの記録紙に対向」との間に、「上方の位置に配置され、該カセットからの」を追加した点は、「記録手段」が「カセットの上方の位置に配置され」る限定を付加するとともに、「カセットの」なる記載における「の」が出所を示す格助詞であることを明確にしたものであって、「記録手段」が「カセットの上方の位置に配置され」ることを限定した点は、本件特許公報の段落【００２１】の「このイメージ記録部１４は、（中略）上述の如く記録紙カセット２の上方位置に配置され」なる記載に依拠したものであり、「カセットの」なる記載における「の」が出所を示す格助詞であることを明確にした点は、本件特許公報の段落【００１１】に「上記記録紙の搬送路に対向するように配置され」なる記載があり、「記録紙の搬送路」がカセットから搬送される記録紙の搬送経路を示し、「記録手段」が搬送路と対向する位置に搬送中の記録紙が到来した瞬間には「カセットからの記録紙」と「記録手段」とが対向する位置関係となることに鑑みると、上記の明確化は該記載に依拠したものであるから、この訂正は特許請求の範囲の減縮および明確でない記載の釈明を目的とした訂正に該当する。
　「上記イメージ読取り手段と上記カセットとの間に」と「位置し」との間に、「ファクシミリ装置本体から外部に出っ張らないように」を追加した点は、位置する形態として「ファクシミリ装置本体から外部に出っ張らない」という限定を付加するものであって、本件特許公報の段落【００１１】に「上記原稿給紙トレイ、原稿排紙トレイ、記録排紙トレイを上記ファクシミリ装置本体内に収容し、外部に出っ張らないように構成する」なる記載に依拠したものであるから、この訂正は特許請求の範囲の減縮を目的とした訂正に該当する。
　「上記カセットから排出され」と「た上記記録紙を受ける記録排紙トレイ部」との間に、「、記録紙に対向するように配置された上記記録手段にて記録され」を追加した点は、記録排紙トレイ部が受ける記録紙について、「記録紙に対向するように配置された上記記録手段にて記録され」たものであることの限定を付加したものであって、本件特許公報の段落【００１１】の「上記記録紙の搬送路に対向するように配置され」および同段落【００２３】の「装置本体１に内蔵されたイメージ記録部１４により、受信イメージが記録紙としてのカット紙に記録され、記録されたカット紙９が装置本体１の開口部３ａから記録紙排紙トレイ３上に排出される」なる依拠したものであるから、この訂正は特許請求の範囲の減縮を目的とした訂正に該当する。
　
　訂正事項Ｂについて
　特許請求の範囲の請求項６を削除したものであるから、この訂正は特許請求の範囲の減縮を目的とした訂正に該当する。
　
（３）むすび
　以上のとおりであるから、上記訂正は、特許法第１２０条の４第２項および同条第３項によって準用する同第１２６条第２項および第３項の規定に適合するので、当該訂正を認める。
　
　
３．特許異議の申立について
（１）本件発明
　訂正が認められるので、特許第３２３１４５１号の請求項１〜５に係る発明は、訂正明細書の特許請求の範囲の請求項１〜５に記載された次のとおりのものと認められる。
「【請求項１】
　薄い原稿の原稿給紙排出手段と、厚み原稿が載置される原稿読取り面と、該原稿読取り面の開閉自在カバーと、カット紙タイプの記録紙にファクシミリ受信画像情報を記録する手段とを備え、薄い原稿及び厚み原稿を読取ってファクシミリ送信を可能としたファクシミリ装置であって、
　上記カバー側に設けられた原稿給紙トレイ部及び原稿排紙トレイ部と、
　上記原稿給紙トレイ部に載置された上記薄い原稿をＵターン搬送し上記原稿排紙トレイ部に導く原稿Ｕターン搬送手段と、
　上記原稿給紙トレイ部に載置された上記薄い原稿の読み取りの場合には該原稿の搬送路に対向し、上記原稿給紙トレイ部から搬送された原稿のイメージを読取り、上記原稿読取り面に載置された上記厚み原稿の読み取りの場合には該原稿読取り面に対向し、上記原稿読取り面に載置された原稿のイメージを読取るイメージ読取手段と、
　上記カット紙タイプの記録紙を収納する記録紙カセットと、
　上記記録紙カセットの上方の位置に配置され、該カセットからのカット紙タイプの記録紙に対向し、該記録紙にファクシミリ受信画像情報を記録する記録手段と、
　上記ファクシミリ装置のケースの一部から成り、該ケースの一部が上記イメージ読取り手段と上記カセットとの間にファクシミリ装置本体から外部に出っ張らないように位置し、該ケースの一部にて上記カセットから排出され、記録紙に対向するように配置された上記記録手段にて記録された上記記録紙を受ける記録排紙トレイ部とを備え、
　上記記録紙カセットが、上記ファクシミリ装置本体にその正面から手前方向に引き出し可能に内蔵され、
　上記原稿読取り面の上側に上記原稿給紙トレイ部、上記原稿排紙トレイ部及び上記原稿搬送手段を配置し、上記原稿読取り面の下側に上記イメージ読取手段及び上記記録紙カセットを配置し、
　上記記録排紙トレイ部のケースの一部が、上記イメージ読取手段の下側に配置され、かつ上記記録紙カセットの上面を覆うように構成されたことを特徴とするファクシミリ装置。
【請求項２】
　上記記録排紙トレイ部が上記ファクシミリ装置本体から外部に出っ張らないようにかつ上記カセット上面を覆うように構成されてなる請求項１記載のファクシミリ装置。
【請求項３】
　上記記録排紙トレイ部が上記ファクシミリ装置のケースの一部を成し、上記カセットの上部を覆うように構成されており、上記原稿給紙トレイ部、上記原稿排紙トレイ部が上記カバーの側面より外側に突き出さないように構成されたことを特徴とする請求項１記載のファクシミリ装置。
【請求項４】
　上記原稿カバーが上記原稿排紙トレイ部を成しており、該原稿排紙トレイ部の上側に上記原稿給紙トレイ部が配置された請求項１記載のファクシミリ装置。
【請求項５】
　上記原稿給紙トレイ部と上記原稿排紙トレイ部及び上記原稿Ｕターン搬送手段をもって、上記原稿給紙トレイ部にセットされた複数枚の原稿を一枚ずつ順次取り込み上記原稿排紙トレイ部の上に排出する原稿送り装置を構成しており、上記記録紙カセットが上記ファクシミリ装置本体に引き出し可能に組み込まれており、上記イメージ読取手段及び上記記録手段が上記原稿送り装置と上記記録紙カセットとの間に配置されており、上記記録紙カセットからの記録紙が排出される上記記録排出トレイ部が上記カセットより上側位置に配置された請求項１記載のファクシミリ装置。」　　
　
（２）申立理由の概要
　特許異議申立人キヤノン株式会社は、特許３２３１４５１号の全請求項（請求項１〜５）に係る発明の特許に対して、証拠として、甲第１号証（実願平１−８１８５１号（実開平３−２１０５８号）のマイクロフィルム）、甲第２号証（特開昭６３−４２２８０号公報）、甲第３号証（特開昭６３−１７２１７２号公報）、甲第４号証（特開平２−６４５３４号公報）、甲第５号証（特開平１−１９１８７４号公報）、および、甲第６号証（特開平１−１９１８７１号公報）を提出し、本件の請求項１〜５に係る発明の特許は特許法第２９条第２項の規定に違反し、本件の請求項１〜３、５および６に係る発明は特許法第３６条第５項に規定する要件を満足しないものであって、本件発明についての特許を取り消すべき旨主張している。
　
（３）刊行物に記載された発明
　特許異議申立人が異議申立の証拠として提出した刊行物のうち、甲第１号証〜甲第３号証には、以下の記載がある。
　
ア．甲第１号証（実願平１−８１８５１号（実開平３−２１０５８号）のマイクロフィルム）
　甲第１号証には、以下の記載がある。
（あ）「従来の画像形成装置、例えば電子写真記録装置や、レーザービームプリンタ、ファクシミリ、複写機、コンピュータ出力用プリンタ等の各種画像形成装置について、説明の便宜上、電子写真複写機を例として、記録紙搬送の概略構成を第６図を参照して説明する。」（第２頁９行〜１４行）
（い）「第１図および第２図において、本考案に係る電子写真複写機は、上段の光学部１０、中段の画像形成部２０、下段の給紙部３０および画像形成部２０の搬送下流側の排紙部４０とから構成されている。
　第１図において、光学部１０は露光ランプ１１、第１ミラー１２からなる第１ミラーユニット、第２ミラー１３、第３ミラー１４からなる第２ミラーユニット、レンズ１５、第４ミラー１６とから成り、透明なガラスからなる原稿載置台１７を固定した本体フレーム１９内に収容されている。１８は原稿載置台を覆い開閉自在な原稿カバーである。
　画像形成部２０は、感光体ドラム２１、帯電前消去ランプ２２、帯電器２３、現像装置２４、転写器２５、分離器２６、クリーニング装置２７、定着装置２８等から構成され、本体上フレーム２９または本体下フレーム３９内に収容されている。
　給紙部３０は、記録紙Ｐを収容し前方に引出し可能な給紙カセット３１、該給紙カセット３１から記録紙Ｐ１を１枚ずつ繰り出すための半月状の給紙ローラ３２、中間搬送ローラ３３、給送ガイド板３４、給紙ローラ３５、レジストシャッタ３６、搬送ガイド板３７とから構成され、定着装置２８とともに本体下フレーム３９内に収容されている。」（第７頁２行〜第８頁４行）
（う）「前記光学部１０を収容する本体フレーム１９は、大型サイズの原稿、例えばＡ３版サイズの場合には、大型の原稿載置台１７と、大型原稿を全面走査露光するための長大な光学的移動手段を必要とする。
　これに対して、画像形成部２０は、転写器２５から定着装置２８に至る搬送距離を最小にする構造とした場合、本体上フレーム２９は可成り小型化することが可能である。すなわち、排紙ローラ４１の排紙口４４は、第１図、第２図、第３図に示すように、本体フレーム１９左側面位置より右方で可成り引込んだ内方位置に設定して、上方の本体フレーム１９と下方の本体フレーム３９と後方の駆動部外装体４８の間に風洞状空間４９を設けることが可能である。これによってこの風洞状空間４９に固定した排紙受台４２を設けることができる。また、最大サイズの記録紙Ｐを排出載置可能にするため、小型の排紙トレイ４３を突出させる。排出された中または小サイズの記録紙Ｐを取り出すときには、上記広い風洞空間４９に手を入れて容易に作業することができる。」（第８頁１７行〜第９頁１６行）
（え）露光ランプ１１、第１ミラー１２からなる第１ミラーユニット、第２ミラー１３、第３ミラー１４からなる第２ミラーユニット、レンズ１５、第４ミラー１６とから成る光学部１０が、原稿載置台に対向する構成。（第１図）
（お）感光体ドラム２１、帯電前消去ランプ２２、帯電器２３、現像装置２４、転写器２５、分離器２６、クリーニング装置２７、定着装置２８等から構成される画像形成部が、給紙カセット３１の上方の位置に配置され、該カセットからの記録紙に対向する構成。（第１図）
（か）排紙受台４２が、光学部１０と給紙カセット３１との間に位置し、給紙カセットから排出され、画像形成部にて画像形成された記録紙を受けるとともに、原稿載置台の下側に配置され、かつ給紙カセットの上面を覆う構成。（第１図および第２図）
（き）給紙カセット３１が、原稿載置台の下側に配置される構成。（第１図）
　
　上記（あ）〜（き）の記載からみて、甲第１号証には、
「原稿が載置される原稿載置台と、原稿載置台を覆い開閉自在な原稿カバーと、給紙カセットから搬送されてくる記録紙に画像を形成する画像形成部とを備えた画像形成装置であって、
　原稿載置台に対向し、原稿を走査露光する光学部と、
　記録紙を収容する給紙カセットと、
　給紙カセットの上方の位置に配置され、該カセットからの記録紙に対向し、該記録紙に画像を形成する画像形成部と、
  光学部と給紙カセットとの間に位置し、上方の本体フレームと下方の本体下フレームと後方の駆動部外装体の間に設けられた風洞空間内に設けられ、給紙カセットから排出され、画像形成部にて画像形成された記録紙を受ける排紙受台とを備え、
　給紙カセットが、前方に引出し可能に設けられ、
　原稿載置台の下側に給紙カセットを配置し、
　排紙受台が、原稿載置台の下側に配置され、かつ給紙カセットの上面を覆うように構成された画像形成装置。」の発明（以下、「甲第１号証記載の発明」という）が記載されている。
　
イ．甲第２号証（特開昭６３−４２２８０号公報）
　甲第２号証には、以下の記載がある。
（く）「第１図において、１はイメージスキャナであり、イメージスキャナ１は本体２と、本体２上部に回動可能に取り付けられた自動原稿送り手段としてのＡＤＦ（Auto Docoument Feeder）３と、を有している。」（第３頁下左欄１７行〜下右欄１行）
（け）「読取手段５は、光源１１、ミラー１２、１３、１４、焦光レンズ１５、ラインイメージセンサ１６および第３図に示すキャリッジ１７ａ、１７ｂ、駆動モータ１８等を備えており、原稿台６あるいは読取部７に位置する原稿１９の画情報を読み取る。」（第３頁下右欄１５行〜１９行）
（こ）「ＡＤＦ３は、原稿テーブル３１、原稿トレー３２および機構部３３を有している。ＡＤＦ３は機構部３３において本体２に第２図中矢印方向に回動自在に取り付けられており、回動されることにより原稿トレー３２が原稿台６を開閉する。すなわち、原稿トレー３２は原稿台６にセットされた原稿１９をガラス板１９に押し付ける圧板としての作用を兼ねている。　（中略）　原稿トレー３２は原稿テーブル３１の下方に配設されており、原稿テーブル３１にセットされた原稿１９は機構部３３を通して原稿トレー３２に排出される。　（中略）　給紙ローラ３５により給紙された原稿１９はガイド板４１に案内されつつ送りローラ３７により読取部７に送られ、プラテンローラ３８により読取部７のガラス板９に密着される。この読取部７において光源１１からの光が原稿１９に照射され、画情報が読み取られる。」（第４頁上右欄１５行〜下左欄２０行）
（さ）「イメージスキャナ１への原稿のセットおよび画情報の読み取りは以下のように行われる。
　原稿台６への原稿のセットは原稿の上端を原稿つきあて板１１１につきあてた状態で原稿面をガラス板９に向けて行う。原稿台６にセットされた原稿の読み取りは光源１１およびミラー１２を搭載するキャリッジ１７ａが読取開始位置ＢＳにセットされ、まず、原稿の上部先頭行を主走査することにより開始される。　（中略）　この主走査と副走査を順次繰り返して原稿の画情報を読み取る。読取手段５により読み取られた画情報はビデオ信号として制御回路４のビデオ信号処理手段５１に送られ、　（中略）
　次いで、ＡＤＦ３に原稿１９をセットして読取部７で画情報を読み取る場合には、原稿１９は表向きで、かつ、原稿１９の上部を機構部３３側にして原稿テーブル３１にセットされ、分離ローラ３６で１枚ずつ分離されつつ給紙ローラ３５により機構部３３内に送給される。　（中略）　機構部３３内に送給された原稿１９はガイド板３４に案内されつつ送りローラ３７により読取部７に送給され、読取部７に送給された原稿１９はプラテンローラ３８によりガラス板９に圧接される。　（中略）　この主走査と副走査を順次繰り返して原稿の画情報を読み取り、画情報の読み取られた原稿１９は原稿トレー３２上に排出される。読取手段５により読み取られた画情報は、上記同様に信号処理されて外付ＲＡＭ５５に書き込まれる。」（第７頁上左欄１９行〜下右欄１７行）
（し）「さらに、上記実施例では本発明の画像読取装置をイメージスキャナに適用した場合について述べたが、これに限るものではなく、ファクシミリ装置等であってもよい。」（第９頁上左欄１１行〜１４行）
（す）「（効果）
　本発明によれば、原稿が原稿台にセットされたのか、自動原稿送り手段にセットされたのかを判別して読取手段や自動原稿送り手段を制御することができ、オペレータの作業性を向上させることができる。また、自動原稿送り手段の部品点数を削減し、かつ、原稿トレーの画像読取装置のサイドへのはみ出しを防止することができ、画像読取装置を小型、軽量化し、かつ設置面積を小さくすることができる。」（第９頁上左欄１５行〜上右欄４行）
（せ）原稿台６の上側に、機構部３３、原稿トレー３２、および、該原稿トレー３２の上側に位置する原稿テーブル３１を有するＡＤＦ３を配置し、原稿台６の下側に光源１１、ミラー１２、１３、１４、焦光レンズ１５、ラインイメージセンサ１６およびキャリッジ１７ａ、１７ｂ駆動モータ１８等を備える読取手段５を配置し、原稿テーブルが原稿トレーの側面より外側に突き出ない構成。（第２図）
　
　上記（く）〜（せ）の記載からみて、甲第２号証には、
「ファクシミリ装置に適用される画像読取装置において、自動原稿送り手段としてのＡＤＦと、回動されることにより原稿台を開閉する原稿トレーとを備え、
　原稿トレーは、原稿台にセットされた原稿をガラス板に押し付ける圧板としての作用を兼ねるとともに、原稿テーブルの下方に配設され、
　スキャナ本体上部に取り付けられた機構部は、原稿テーブルにセットされた原稿を原稿トレーに排出し、
　読取手段は、ＡＤＦに原稿をセットして読取部で画情報を読み取る場合には、原稿は原稿テーブルにセットされて機構部内に送給され、読取部のガラス板に密着され、主走査と副走査を順次繰り返して原稿の画情報を読み取り、原稿台にセットされた原稿の読み取りは、原稿のセットを原稿の上端を原稿つきあて板につきあてた状態で原稿面をガラス板に向けて行い、主走査と副走査を順次繰り返して原稿の画情報を読み取り、
　原稿台の上側に機構部、原稿トレー、および、該原稿トレーの上側に位置する原稿テーブルを配置し、原稿台の下側に読取手段を配置し、原稿テーブルが原稿トレーの側面より外側に突き出ない構成、および、この構成により、自動原稿送り手段の部品点数を削減し、かつ、原稿トレーの画像読取装置のサイドへのはみ出しを防止することができ、画像読取装置を小型、軽量化し、かつ設置面積を小さくすることができる効果を奏する」こと（以下、「甲第２号証記載の事項」という）が記載されている。
　
ウ．甲第３号証（特開昭６３−１７２１７２号公報）
　甲第３号証には、以下の記載がある。
（そ）「ｉ．複写機本体（１）
　複写機本体（１）の略中央部には感光体ドラム（１１）が矢印（ａ）方向に回転駆動可能に配設されており、その周囲には現像装置（１２）の他に、第２現像装置、各種チャージャ、クリーニング装置等（図示せず）の機器が配設されている。
　感光体ドラム（１１）の上方には、原稿台ガラス（１４）に沿って矢印（ｂ）方向にスキャン動作する露光ランプを備えた光学系（１３）が配設されている。」（第２頁上左欄３行〜１２行）
（た）「ｉｉ．排紙装置（２）
　排紙装置（２）には外部に開方された空間である複写紙排紙部（２１）が形成され、該排紙部（２１）には排紙トレイが設けてあり、排紙部（２１）の側部には排紙路（２３）と給紙路（２６）が形成されている。」（第２頁上右欄１３行〜１８行）
（ち）「ｉｉｉ．給紙装置（３）
　給紙装置（３）には収納ボックス（３１）が第１図に示すように着脱自在に装着されており、該ボックス（３１）内には複写紙（Ｐ）を積層収容した給紙トレイ（３２）が装着され、」（第２頁下左欄１４行〜１８行）
（つ）「（発明の効果）
　以上の説明で明らかなように、本発明にかかる複写機は複写機本体の下に、排紙装置、給紙装置を順次積層し、前記排紙装置に給紙路と排紙路をそれぞれ形成している。
　したがって、排紙装置、給紙装置が複写機本体から側方へ突出することがなく、複写機を小さなスペース内に収めることができ、オフィスにおける複写機の専有面積を極力少なくし、空間の有効利用を図ることができる。」（第４頁上右欄１１行〜２０行）
　
　上記（そ）〜（つ）の記載からみて、甲第３号証には、
「感光体ドラム、現像装置、光学系などが配設された複写機本体の下に、排紙トレイの設けられた排紙部が形成された排紙装置、給紙トレイの装着された収納ボックスが着脱自在に装着された給紙装置を順次積層し、排紙装置が、複写機本体と排紙装置との間に本体から外部に出っ張らないように位置するように構成することで、排紙装置、給紙装置が複写機本体から側方へ突出することがなく、複写機を小さなスペース内に収めることができ、オフィスにおける複写機の専有面積を極力少なくし、空間の有効利用を図ることができる」こと（以下、「甲第３号証記載の事項」という）が記載されている。
　
（４）対比・判断
（請求項１に係る発明）
　本件請求項１に係る発明と異議申立人が提出した甲第１号証記載の発明とを対比すると、
　
　甲第１号証記載の発明は、原稿を載置される原稿載置台と、原稿載置台を覆い開閉自在な原稿カバーと、給紙カセットに収容した記録紙に画像を形成する画像形成部とを備えた画像形成装置であって、ファクシミリ装置は画像形成装置の一装置である。
　そして、甲第１号証記載の発明の原稿台は原稿が載置されるとともに、該載置された原稿が光学的に走査されることから、載置する原稿の点を除いて、本件請求項１の「厚み原稿が載置される原稿読取り面」なる記載で特定された「原稿読取り面」は甲第１号証記載の発明の「原稿台」に他ならない。
　甲第１号証記載の発明の画像形成部は画像情報に基づく画像を記録紙上に形成して記録する作用を奏することは明らかであるから、記録紙のタイプおよび記録する画像情報の点を除いて、本件請求項１の「カット紙タイプの記録紙にファクシミリ受信画像情報を記録する手段」なる記載で特定された「記録する手段」は甲第１号証記載の発明の「画像形成部」に他ならない。
　甲第１号証記載の発明の原稿カバーは、原稿読取り面に対応する原稿台を覆うカバーであって、原稿台に対して開閉自在に設けられていることから、本件請求項１の「該原稿読取り面の開閉自在カバー」なる記載で特定された「カバー」は甲第１号証記載の発明の「原稿カバー」に他ならない。
　このため、「薄い原稿の原稿給紙排出手段」、「厚み原稿」、「カット紙タイプの記録紙にファクシミリ受信画像を記録する」および「薄い原稿及び厚み原稿を読取ってファクシミリ送信を可能としたファクシミリ装置」の点を除き、原稿が載置される原稿読取り面と、該原稿読取り面の開閉自在カバーと、記録紙に画像情報を記録する手段とを備えた画像形成装置である点で、本件請求項１に係る発明と相違しない。
　
　甲第１号証記載の発明は、記録紙を収容する給紙カセットを備えており、本件請求項１にかかる発明の「記録紙カセット」は甲第１号証記載の発明の「給紙カセット」に対応するから、「カット紙タイプの記録紙」の点を除き、記録紙を収納する記録紙カセットを備えている点で、本件請求項１に係る発明と相違しない。
　
　甲第１号証記載の発明は、給紙カセットの上方の位置に配置され、該カセットからの記録紙に対向し、該記録紙に画像を形成する画像形成部を有しているから、「カット紙タイプの記録紙」および「ファクシミリ受信画像情報」の点を除き、記録紙カセットの上方の位置に配置され、該カセットからの記録紙に対向し、該記録紙に画像情報を記録する記録手段を備えている点で、本件請求項１に係る発明と相違しない。
　
　甲第１号証記載の発明は、給紙カセットからの記録紙に対向し、該記録紙に画像を形成する画像形成部、および、給紙カセットから排出され、画像形成部にて画像形成された記録紙を受ける排紙受台を備えており、本件請求項１に係る発明の「記録排紙トレイ部」は甲第１号証記載の発明の「排紙受台」に対応するから、「上記ファクシミリ装置のケースの一部から成り、該ケースの一部が上記イメージ読取り手段と上記カセットとの間にファクシミリ装置本体から外部に出っ張らないように位置し、該ケースの一部にて」の点を除き、カセットから排出され、記録紙に対向するように配置された記録手段にて記録された記録紙を受ける記録排紙トレイ部を備えている点で、本件請求項１に係る発明と相違しない。
　
　甲第１号証記載の発明は、給紙カセットが前方に引出し可能に設けられているから、「ファクシミリ装置本体」の点を除き、記録紙カセットが装置本体にその正面から手前方向に引き出し可能に内蔵されている点で、本件請求項１に係る発明と相違しない。
　
　甲第１号証記載の発明は、排紙受台が給紙カセットの上面を覆うように構成されているから、「記録排紙トレイ部のケースの一部」および「上記イメージ読取手段の下側に配置され、かつ」の点を除き、記録排紙トレイ部が記録紙カセットの上面を覆うように構成されている点で、本件請求項１に係る発明と相違しない。
　
　よって、本件請求項１に係る発明と甲第１号証記載の発明とは、
「原稿が載置される原稿読取り面と、該原稿読取り面の開閉自在カバーと、記録紙に画像情報を記録する手段とを備えた画像形成装置であって、
　記録紙を収納する記録紙カセットと、
　記録紙カセットの上方の位置に配置され、該カセットからの記録紙に対向し、該記録紙に画像情報を記録する記録手段と、
　カセットから排出され、記録紙に対向するように配置された上記記録手段にて記録された上記記録紙を受ける記録排紙トレイ部とを備え、
　上記記録紙カセットが、上記装置本体にその正面から手前方向に引き出し可能に内蔵され、
　上記記録排紙トレイ部が、上記記録紙カセットの上面を覆うように構成されたことを特徴とする画像形成装置。」である点で一致し、次の点で相違する。
　
＜相違点１＞
　本件請求項１に係る発明は、イメージ読取手段を備え、記録紙にファクシミリ受信画像を記録し、原稿を読取ってファクシミリ送信を可能としたファクシミリ装置であって、記録排紙トレイがイメージ読取手段と記録紙カセットとの間に位置するのに対して、甲第１号証記載の発明は画像形成装置であって、記録排紙トレイの位置が該位置となっていない点。
　
＜相違点２＞
　本件請求項１に係る発明は、記録紙がカット紙タイプであるのに対して、甲第１号証記載の発明は記録紙のタイプが記載されていない点。
　
＜相違点３＞
　本件請求項１に係る発明は、薄い原稿の原稿給紙排出手段と、厚み原稿が載置される原稿読取り面とを備え、薄い原稿と厚み原稿を読取る装置であって、カバー側に設けられた原稿給紙トレイ部及び原稿排紙トレイ部と、原稿給紙トレイ部に載置された薄い原稿をＵターン搬送し原稿排紙トレイ部に導く原稿Ｕターン搬送手段と、原稿給紙トレイ部に載置された薄い原稿の読み取りの場合には該原稿の搬送路に対向し、原稿給紙トレイ部から搬送された原稿のイメージを読取り、原稿読取り面に載置された厚み原稿の読み取りの場合には該原稿読取り面に対向し、原稿読取り面に載置された原稿のイメージを読取るイメージ読取手段を備え、原稿読取り面の上側に原稿給紙トレイ部、原稿排紙トレイ部及び原稿搬送手段を配置し、原稿読取り面の下側にイメージ読取手段を配置する構成であるのに対して、甲第１号証記載の発明はこのような構成でない点。
　
＜相違点４＞
　本件請求項１に係る発明は、記録排紙トレイ部がイメージ読取手段とカセットとの間に装置本体から外部に出っ張らないように位置し、該記録排紙トレイ部にてカセットから排出された記録紙を受け、イメージ読取手段の下側に記録紙カセットを配置し、記録排紙トレイ部が、イメージ読取手段の下側に配置される構成となっているのに対して、甲第１号証記載の発明はこのような構成となっていない点。
　
＜相違点５＞
　本件請求項１に係る発明は、記録排紙トレイが装置のケースの一部からなるのに対して、甲第１号証記載の発明はこのような構成となっていない点。
　
　以下で、相違点１〜５について検討する。
　
　相違点１に関しては、画像形成装置には、電子写真複写機や、レーザープリンタ、ファクシミリ、複写機、コンピュータ出力用プリンタ等があり、説明の便宜上電子写真複写機を例としていることが甲第１号証に記載されており（上記（あ）の記載を参照）、甲第１号証記載の発明をファクシミリ装置などの電子写真複写機以外の画像形成装置へ適用することが可能であることは明らかであるから、甲第１号証記載の発明において、画像形成装置をファクシミリ装置とすることは、当業者であれば格別の創意を要することなくなし得る事項である。
　また、ファクシミリ装置において、イメージを読み取って送信する手段およびファクシミリ画像を受信して記録する手段は必須の手段であって、イメージ読取手段は原稿を読取り面上の原稿を走査すること読み取る手段であるから、露光ランプ、ミラーやレンズなどからなる光学部はイメージ読取り手段の一部を構成する要素であり、イメージ読取手段が光学部の設けられる位置に合わせて設けられることは自明である
　このため、甲第１号証記載の発明において、画像形成装置をファクシミリ装置としたならば、結果として、記録排紙トレイの位置がイメージ読取手段と記録紙カセットとの間に位置し、記録排紙カセットがイメージ読取手段の下側に配置されることになることは明らかである。
　
　相違点２に関しては、記録紙カセットに収納する記録紙としてカット紙タイプの記録紙が用いることが常套的に行われているから、甲第１号証記載の発明において、記録紙カセットに収納する記録紙をカット紙タイプの記録紙とすることは、当業者であれば格別の創意を要することなくなし得る事項である。
　
　相違点３に関しては、ファクシミリ装置に適用される画像読取装置において、自動原稿送り手段としてのＡＤＦと、回動されることにより原稿台を開閉する原稿トレーとを備え、原稿トレーは、原稿台にセットされた原稿をガラス板に押し付ける圧板としての作用を兼ねるとともに、原稿テーブルの下方に配設され、スキャナ本体上部に取り付けられた機構部は、原稿テーブルにセットされた原稿を原稿トレーに排出し、読取手段は、ＡＤＦに原稿をセットして読取部で画情報を読み取る場合には、原稿は原稿テーブルにセットされて機構部内に送給され、読取部のガラス板に密着され、主走査と副走査を順次繰り返して原稿の画情報を読み取り、原稿台にセットされた原稿の読み取りは、原稿のセットを原稿の上端を原稿つきあて板につきあてた状態で原稿面をガラス板に向けて行い、主走査と副走査を順次繰り返して原稿の画情報を読み取り、原稿台の上側に機構部、原稿テーブル、および、該原稿テーブルの上側に位置する原稿トレーを配置し、原稿台の下側に読取手段を配置する構成、および、この構成により、自動原稿送り手段の部品点数を削減し、かつ、原稿トレーの画像読取装置のサイドへのはみ出しを防止することができ、画像読取装置を小型、軽量化し、かつ設置面積を小さくすることができる効果を奏することが甲第２号証に記載されている。
　そして、原稿として薄い原稿や厚み原稿を取り扱いたいということは自明な要求であるとともに、甲第２号証記載の事項において、合本などの厚み原稿をＡＤＦの原稿テーブルにセットして画情報を読み取ることは不可能であるが、原稿台にセットして画情報の読み取ることは可能であること、および、薄い原稿であればＡＤＦの原稿テーブルにセットして画情報を読み取ることが可能であることは当業者にとって明らかである。
　しかも、甲第２号証記載の事項では、原稿テーブル、機構部および原稿カバーからなるＡＤＦにより原稿の給紙および排出が行なわれており、該ＡＤＦによる給紙および排紙は薄い原稿の場合に可能となるが明らかであるから、本願請求項１の「薄い原稿の原稿給紙排出手段」なる記載で特定された「原稿給紙排出手段」は甲第２号証記載の事項の「ＡＤＦ」に他ならない。
　甲第２号証記載の事項の原稿トレーは原稿テーブルにセットされた原稿が排紙されるとともに、回動されることにより原稿台を開閉し、原稿台にセットされた原稿をガラス板に押し付ける圧板としての作用を兼ねているから、本件請求項１の「該原稿読取り面の開閉自在カバー」なる記載で特定された「カバー」および本件請求項１の「上記カバー側に設けられた原稿給紙トレイ部及び原稿排紙トレイ部」なる記載で特定された「原稿排紙トレイ部」を兼ねた構成は甲第２号証記載の事項の「原稿トレー」に他ならない。
　甲第２号証記載の事項の原稿テーブルは原稿カバーに設けられており、給紙する原稿を載置するトレイの機能を有していることから、本件請求項１の「上記カバー側に設けられた原稿給紙トレイ部及び原稿排紙トレイ部」なる記載で特定された「原稿給紙トレイ部」は甲第２号証記載の事項の「原稿テーブル」に他ならない。
　甲第２号証記載の事項の機構部は、ＡＤＦの原稿テーブルに載置された原稿が薄い原稿であれば、該原稿テーブルに載置された薄い原稿をＵターン状に搬送して読取部および原稿トレーに導く機能を有することが明らかであるから、本件請求項１の「上記原稿給紙トレイ部に載置された上記薄い原稿をＵターン搬送し上記原稿排紙トレイ部に導く原稿Ｕターン搬送手段」なる記載で特定された「原稿Ｕターン搬送手段」は甲第２号証記載の事項の「機構部」に他ならない。
　このため、甲第１号証記載の発明において、原稿として薄い原稿や厚み原稿を取り扱うことを可能にし、自動原稿送り手段の部品点数を削減し、かつ、原稿トレーの画像読取装置のサイドへのはみ出しを防止することができ、画像読取装置を小型、軽量化し、かつ設置面積を小さくすることことができる効果を奏することを期待して、薄い原稿の原稿給紙排出手段と、厚み原稿が載置される原稿読取り面とを備え、また、カバー側に設けられた原稿給紙トレイ部及び原稿排紙トレイ部と、原稿給紙トレイ部に載置された薄い原稿をＵターン搬送し原稿排紙トレイ部に導く原稿Ｕターン搬送手段と、原稿給紙トレイ部に載置された薄い原稿の読み取りの場合には該原稿の搬送路に対向し、原稿給紙トレイ部から搬送された原稿のイメージを読取り、原稿読取り面に載置された厚み原稿の読み取りの場合には該原稿読取り面に対向し、原稿読取り面に載置された原稿のイメージを読取るイメージ読取手段とを備え、原稿読取り面の上側に原稿給紙トレイ部、原稿排紙トレイ部及び原稿搬送手段を配置し、原稿読取り面の下側にイメージ読取手段を配置するように構成することは、当業者であれば容易になし得る事項である。
　
　相違点４に関しては、感光体ドラム、現像装置、光学系などが配設された複写機本体の下に、排紙トレイの設けられた排紙部が形成された排紙装置、給紙トレイの装着された収納ボックスが着脱自在に装着された給紙装置を順次積層し、排紙トレイが、複写機本体と排紙装置との間に装置から外部に出っ張らないように位置するように構成すること、および、この構成により、排紙装置、給紙装置が複写機本体から側方へ突出することがなく、複写機を小さなスペース内に収めることができ、オフィスにおける複写機の専有面積を極力少なくし、空間の有効利用を図ることができる効果を奏することが甲第３号証に記載されている。
　そして、甲第３号証記載の事項の排紙トレイは記録された記憶紙を受ける作用を奏していることから、該作用の点からみて、本件請求項１に係る発明の「記録排紙トレイ部」は、甲第３号証記載の事項の「排紙トレイ」に他ならない。
　このため、甲第１号証記載の発明において、排紙装置、給紙装置が装置本体から側方へ突出することがなく、装置を小さなスペース内に収めることができ、オフィスにおける装置の専有面積を極力少なくし、空間の有効利用を図ることができる効果を奏することを期待して、装置本体から外部に出っ張らないように位置し、記録手段にて記録された記録紙を受ける記録排紙トレイ部とを備えるように構成することは、当業者であれば容易になし得る事項である。
　
　相違点５については、甲第１号証記載の発明の風洞空間は、上方の本体フレームと下方の本体下フレームと後方の駆動部外装体の間に設けられており、フレームや外装体などで装置のケースを構成すること、および、トレイが設けられる空間を形成する下側部材によりトレイを構成することは常套的に行われている事項であるから、甲第１号証記載の発明の風洞空間を形成する本体フレーム及び駆動部外装体を装置のケースの一部とし、該風洞空間内に設けられる記録排紙トレイを装置のケースの一部にて構成することは、当業者であれば格別の創意を要することなくなし得る事項である。
　
（請求項２に係る発明）
　請求項２に記載される「上記記録排紙トレイ部が上記ファクシミリ装置本体から外部に出っ張らないようにかつ上記カセット上面を覆うように構成されてなる」事項は、請求項１に係る発明においても記載されている事項である。
　このため、請求項２に係る発明は、請求項１で検討した相違点以外の相違は認められず、請求項２に係る発明は、甲第１号証記載の発明、ならびに、甲第２および３号証記載の事項から、容易に発明し得たものである。
　
（請求項３に係る発明）
　請求項３に係る発明と甲第１号証記載の発明とを対比すると、請求項１で検討した相違点に加え、以下の点で相違する。
　
＜相違点６＞
　本件請求項３に係る発明は、原稿給紙トレイ部及び原稿排紙トレイ部がカバーの側面より外側に突き出さないように構成されているのに対して、甲第１号証記載の発明は、このように構成されていない点。
　
　相違点６を検討すると、甲第２号証に記載された原稿トレーは、原稿トレーが回動されることにより原稿台を開閉するとともに、原稿台にセットされた原稿をガラス板に押し付ける圧板としての作用を兼ねることから、原稿トレイが原稿台のカバーをなすものであって、原稿トレイが自身の側面より外側に突き出すことは不可能である。
　このため、甲第２号証には、原稿テーブル及び原稿台をカバーする原稿トレイの側面より外側に突き出ない構成は甲第２号証に記載されており、該構成が、画像読取装置を小型、軽量化し、かつ設置面積を小さくすることができる効果に寄与していることは明らかであるから、甲第１号証記載の発明において、画像読取装置を小型、軽量化し、かつ設置面積を小さくすることができる効果を奏することを期待して、原稿給紙トレイ部及び原稿排紙トレイ部がカバーの側面より外側に突き出さないように構成することは、当業者であれば容易になし得る事項である。
　
（請求項４に係る発明）
　請求項４に係る発明と甲第１号証記載の発明とを対比すると、請求項１で検討した相違点に加え、以下の点で相違する。
　
＜相違点７＞
　本件請求項４に係る発明は、原稿カバーが原稿排紙トレイ部を成しており、該原稿排紙トレイ部の上側に原稿給紙トレイ部が配置されているのに対して、甲第１号証記載の発明は、このように構成されていない点。
　
　相違点７を検討すると、甲第２号証記載の事項では、原稿トレーは、原稿テーブルにセットされた原稿が排紙されるとともに、回動されることにより原稿台を開閉し、原稿台にセットされた原稿をガラス板に押し付ける圧板としての作用を兼ねることから、本件請求項１に係る発明の「原稿読取り面の開閉自在カバー」および「原稿排紙トレイ部」を兼ねた構成が甲第２号証記載の事項の「原稿トレー」に他ならない。
　また、甲第２号証記載の事項では、原稿トレーの上側に原稿テーブルを配置している。
　そして、甲第２号証記載の事項において、原稿トレーが原稿テーブルにセットされた原稿が排紙されるとともに、回動されることにより原稿台を開閉し、原稿台にセットされた原稿をガラス板に押し付ける圧板としての作用を兼ねる構成、および、該原稿トレーの上側に原稿テーブルを配置する構成が、画像読取装置を小型、軽量化し、かつ設置面積を小さくすることができる効果に寄与していることは明らかであるから、甲第１号証記載の発明において、画像読取装置を小型、軽量化し、かつ設置面積を小さくすることができる効果を奏することを期待して、原稿カバーが原稿排紙トレイ部を成しており、該原稿排紙トレイ部の上側に原稿給紙トレイ部が配置されるように構成することは、当業者であれば容易になし得る事項である。
　
（請求項５に係る発明）
　請求項５に係る発明と甲第１号証記載の発明とを対比すると、請求項１で検討した相違点に加え、以下の点で相違する。
　
＜相違点８＞
　本件請求項５に係る発明は、原稿給紙トレイ部と原稿排紙トレイ部および原稿Ｕターン搬送手段をもって、原稿給紙トレイ部にセットされた複数枚の原稿を一枚ずつ順次取り込み原稿排紙トレイ部の上に排出する原稿送り装置を構成しているのに対して、甲第１号証記載の発明は、このように構成されていない点。
　
＜相違点９＞
　本件請求項５に係る発明は、イメージ読取手段および記録手段が原稿送り装置と記録紙カセットとの間に配置されているのに対して、甲第１号証記載の発明は、このように構成されていない点。
　
　相違点８を検討すると、ＡＤＦ３に原稿１９をセットして読取部７で画情報を読み取る場合には、原稿１９は表向きで、かつ、原稿１９の上部を機構部３３側にして原稿テーブル３１にセットされ、分離ローラ３６で１枚ずつ分離されつつ給紙ローラ３５により機構部３３内に送給され、原稿トレイに排出されることが甲第２号証に記載され、１枚ずつ分離されて送給されることは原稿が複数枚セットされることを前提としていることは明らかであり、該構成が、画像読取装置を小型、軽量化し、かつ設置面積を小さくすることができる効果に寄与していることは明らかであるから、甲第１号証記載の発明において、画像読取装置を小型、軽量化し、かつ設置面積を小さくすることができる効果を奏することを期待して、原稿給紙トレイ部と原稿排紙トレイ部および原稿Ｕターン搬送手段をもって、原稿給紙トレイ部にセットされた複数枚の原稿を一枚ずつ順次取り込み原稿排紙トレイ部の上に排出する原稿送り装置を構成することは、当業者であれば容易になし得る事項である。
　
　相違点９を検討すると、甲第１号証記載の発明の画像形成装置をファクシミリ装置とし、甲第１号証記載の発明の原稿送り装置を甲第２号証記載の如く原稿読取り面の上側に配置したならば、結果として、イメージ読取手段および記録手段が原稿送り装置と記録紙カセットとの間に配置されることになることは明らかである。
　このため、甲第１号証記載の発明において、イメージ読取手段および記録手段が原稿送り装置と記録紙カセットとの間に配置されるように構成することは、当業者であれば容易になし得る事項である。
　
　したがって、本件請求項１〜５に係る発明は、甲第１号証記載の発明、ならびに、甲第２および３号証記載の事項に基づいて当業者が容易に発明をすることができたものであるから、特許法第３６条第５項に規定する要件についての検討を行うまでもなく、特許法第２９条第２項の規定により特許を受けることができないものである。
　
（５）むすび
　以上から明らかなように、本件請求項１〜５に係る発明についての特許は、拒絶の査定をしなければならない特許出願に対してされたものと認める。
　よって、特許等の一部を改正する法律（平成６年法律第１１６号）附則第１４条の規定に基づく、特許法等の一部を改正する法律の施行に伴う経過処置を定める政令（平成７年政令第２０５号）第４条第２項の規定により、結論のとおり決定する。
【異議決定日】
平成１５年１月２３日（２００３．１．２３）
【訂正の要旨】
ａ．　特許請求の範囲の請求項１を訂正する。
ｂ．　特許請求の範囲の請求項６を削除する。
（５４）【発明の名称】
ファクシミリ装置
（５７）【特許請求の範囲】
　【請求項１】　薄い原稿の原稿給紙排出手段と、厚み原稿が載置される原稿読取り面と、該原稿読取り面の開閉自在カバーと、カット紙タイプの記録紙
にフ
、薄い原稿及び厚み原稿を読取ってファクシミリ送信を可能とし
　上記カバー側に設けられた原稿給紙トレイ部及び原稿排紙トレイ部と、
　上記原稿給紙トレイ部に載置された上記薄い原稿をＵターン搬送し上記原稿排紙トレイ部に導く原稿Ｕターン搬送手段と、
上記原稿給紙トレイ部に載置された上記薄い原稿の読み取りの場合には該原稿の搬送路に対向し、上記原稿給紙トレイ部から搬送された原稿のイメージを読取り、上記原稿読取り面に載置された上記厚み原稿の読み取りの場合には該原稿読取り面に対向し、上記原稿読取り面に載置された原稿のイメージを読取るイメージ読取手段と、
　上記カット紙タイプの記録紙を収納する記録紙カセットと、
　上記記録紙カセットの
上方の位置に配置され、該カセットからの
にフ
　上記ファクシミリ装置のケースの一部から成り、該ケースの一部が上記イメージ読取り手段と上記カセットとの間に
ファクシミリ装置本体から外部に出っ張らないように
、記録紙に対向するように配置された上記記録手段にて記録され
　上記記録紙カセットが、上記ファクシミリ装置本体にその正面から手前方向に引き出し可能に内蔵され、
　上記原稿読取り面の上側に上記原稿給紙トレイ部、上記原稿排紙トレイ部及び上記原稿搬送手段を配置し、上記原稿読取り面の下側に上記イメージ読取手段及び上記記録紙カセットを配置し、
　上記記録排紙トレイ部のケースの一部が、上記イメージ読取手段の下側に配置され、かつ上記記録紙カセットの上面を覆うように構成されたことを特徴とするファクシミリ装置。
　【請求項２】　上記記録排紙トレイ部が上記ファクシミリ装置本体から外部に出っ張らないようにかつ上記カセット上面を覆うように構成されてなる請求項１記載のファクシミリ装置。
　【請求項３】　上記記録排紙トレイ部が上記ファクシミリ装置のケースの一部を成し、上記カセットの上部を覆うように構成されており、上記原稿給紙トレイ部、上記原稿排紙トレイ部が上記カバーの側面より外側に突き出さないように構成されたことを特徴とする請求項１記載のファクシミリ装置。
　【請求項４】　上記原稿カバーが上記原稿排紙トレイ部を成しており、該原稿排紙トレイ部の上側に上記原稿給紙トレイ部が配置された請求項１記載のファクシミリ装置。
　【請求項５】　上記原稿給紙トレイ部と上記原稿排紙トレイ部及び上記原稿Ｕターン搬送手段をもって、上記原稿給紙トレイ部にセットされた複数枚の原稿を一枚ずつ順次取り込み上記原稿排紙トレイ部の上に排出する原稿送り装置を構成しており、上記記録紙カセットが上記ファクシミリ装置本体に引き出し可能に組み込まれており、上記イメージ読取手段及び上記記録手段が上記原稿送り装置と上記記録紙カセットとの間に配置されており、上記記録紙カセットからの記録紙が排出される上記記録排出トレイ部が上記カセットより上側位置に配置された請求項１記載のファクシミリ装置。
【発明の詳細な説明】
　【０００１】
　【産業上の利用分野】
　本発明は、本や雑誌等ブック型原稿をその状態で読取ってファクシミリ送信も可能なファクシミリ装置に関するものである。
　【０００２】
　【従来の技術】
　文書や図面（以下、原稿と略称す）をイメージデータとして公衆回線等を介し伝送するファクシミリ装置としては、図５に示す技術のもの及び特開平４−８３４６０号公報に示されるものがある。
　【０００３】
　前者は、感熱紙タイプのファクシミリ装置で装置本体２０上に原稿排紙トレイ１６を有する他、原稿給紙トレイ１５及び記録紙排紙トレイ１７が装置本体２０に対し互いに反対方向に突出するように設けられている。そして、送信すべき原稿を原稿給紙トレイ１５上にセットすると、該原稿が装置本体２０に取り込まれ、装置本体に設けられたイメージ読取り手段（図示しない）を通過することによって原稿の情報がイメージデータとして読み取られ、読み取られた原稿が原稿排紙トレイ１６上に排出される。また受信すると、その情報が装置本体２０の内部に設けられたカット紙に記録され、該カット紙が記録紙排紙トレイ１７上に排出される。
　【０００４】
　後者は、送信すべき原稿を載置する原稿読取り面と、該原稿読取り面に沿って移動するラインセンサを有し、原稿読取り面上に載置された原稿を読取るイメージ読取り手段と、一辺を回動軸として開閉し、前記原稿読取り面を覆う原稿カバーとを備え、イメージ読取り手段のラインセンサが原稿読取り面に沿って移動することによりブック型や厚みのある原稿のイメージを直接送信できるようにしている。しかも、この後者は、記録紙カセットがカット紙を保持するカセット本体とカセットカバーとで構成されると共に、該カセットカバーを排紙トレイとして兼用させることにより、排紙トレイが装置から外部に突出しないようにしている。
　【０００５】
　ところで、上記に示す従来技術は、以下の点について配慮されていない。
　【０００６】
　即ち、前者は、原稿給紙トレイ１５及び記録紙排紙トレイ１７が装置本体２０から外部に出っ張っているので、それだけ装置が大型化してしまい、設置するのにスペースを広くとらざるを得ない問題がある。後者は、原稿カバーが一辺を回動軸として開閉し、また記録紙カセットのカセットカバーが排紙トレイを兼用しているので、排紙トレイが装置から外部に出っ張ることがないものの、排紙トレイが装置本体の右側面側に設置されているので、カット紙を交換する際に、装置本体の右側面から行わなければならない。また、原稿搬送中に発生する紙詰まりを解除する際、その紙の除去を装置本体の左側面から行わなければならない。従って、消耗品の補充や交換あるいは紙詰まりの解除等、運用上必要な操作の全てを装置本体の正面から行うことができない問題がある。
　【０００７】
　また、記録紙を収容したカセットと、該カセットの前端上部に記録装置を配置し、上記カセットの記録紙が上記記録装置の下部を通過するようにＵターン搬送し、該搬送記録紙をカセットのトレイに導くファクシミリ装置が提案されている。しかしながら、斯かるファクシミリ装置は、原稿のＵターン搬送については考慮されておらず、原稿を受け取る原稿トレイ（原稿排紙トレイ）や記録紙排紙トレイによってその設置場所に融通性が乏しく、つまり省スペース化等については何ら配慮されていない。
　【０００８】
　また、イメージスキャナー本体カバーの上に自動給紙カバーを配置し、該自動給紙カバーの原稿をＵターン搬送し、イメージスキャナーにて読取ること、およびイメージスキャナー本体カバーの原稿読取り面に載置された原稿をイメージスキャナーで読取る原稿読取装置が提案されている。しかし、斯かる装置は、先ず原稿読取装置であり、従って記録紙カセット、記録紙の搬送機構、記録紙排紙トレイ等については上記従来技術と同様に配慮されていない。また、その原稿読取装置がいかなる装置に適用され、その場合の操作性、省スペース化等については全く配慮されていない、
　【０００９】
　また、装置の筐体に原稿載置台を開閉自在に取り付け、原稿載置台の原稿をＵターン搬送して原稿載置台の上部のスタッカに導く画像入力装置が提案されている。しかし、斯かる装置は、画像入力装置であり、従って記録紙カセット、記録紙搬送機構、記録紙排紙トレイ等については考慮されていないだけでなく、その画像入力装置が如何なるものに適用され、その場合の操作性、省スペース化等については全く配慮されていない．
　【００１０】
　本発明の目的は、上記従来技術の問題点に鑑み、原稿をＵターン搬送、読取り、排出し、また記録紙をＵターン搬送、記録、排出する機構のファクシミリ装置において、ファクシミリ操作、記録紙の補充作業が容易に行え、また装置本体の一方の面から運用上必要な操作を容易に行うことができ、使い勝手の良好なファクシミリ装置を提供することにある。また、本発明の目的は、設置スペースを省スペース化し、スリム化が可能なファクシミリ装置を提供することにある。
　【００１１】
　【課題を解決するための手段】
　本発明のファクシミリ装置は、カバー側に設けられた原稿給紙トレイと、上記カバー側に設けられた原稿排紙トレイと、上記原稿給紙トレイに載置された原稿をＵターン搬送し上記原稿排紙トレイに導く原稿Ｕターン搬送手段と、上記原稿給紙トレイの原稿搬送路及び原稿読取り面に対向するように配置され、上記原稿給紙トレイから搬送される原稿及び上記原稿読み取り面の原稿イメージを読み取るイメージ読取手段と、カット紙タイプの記録紙を収納する記録紙カセットと、上記記録紙カセットのカット紙タイプの記録紙をＵターン搬送する記録紙Ｕターン搬送手段と、上記記録紙の搬送路に対向するように配置され、原稿のイメージ又はファクシミリ通信画情報を上記記録紙に記録する記録手段と、上記記録紙搬送手段にてＵターン搬送された上記記録紙を受ける記録紙排紙トレイと、を備え、上記記録紙カセットをファクシミリ装置本体に、その正面から手前方向に引き出し可能に内蔵し、上記記録紙排紙トレイを上記カセットの上部に、かつ上記ファクシミリ装置本体の側面部に配置して成る。また、上記記録紙排紙トレイが上記ファクシミリ装置本体のケースの一部を成しており、上記原稿給紙トレイ、原稿排紙トレイ、記録紙排出トレイを上記ファクシミリ装置本体内に収納し、外部に出っ張らないように構成する。
　【００１２】
　【００１３】
　【実施例】
　以下、本発明の一実施例を図１乃至図４により説明する。実施例のファクシミリ装置は、送信及び受信を行うための制御部（図示せず）を設けた装置本体１が形成されている。該装置本体１の正面側の上部には図１に示すように、送信に際して操作するのに必要な操作釦，液晶からなる表示部等を設けた操作パネル８を有している。また装置本体１には記録紙カセット２が組み込まれると共に、記録紙に受信イメージを記録するイメージ記録部１４が内蔵されている。
　【００１４】
　記録紙カセット２は詳細に図示していないが、図１乃至図３に示すように、装置本体１の内部において中央の下部にセットされ、記録紙としてのカット紙を保持している。そして、受信時、カット紙に受信イメージが記録されると、図１及び図２に示すように、その記録されたカット紙９が装置本体１の側部に形成された開口部３ａから記録紙排紙トレイ３上に排出されるようにしている。記録紙排紙トレイ３は装置本体１の右側部に配置され、制御用の基板等を内蔵した装置本体１のケースの一部をなしている。また、カット紙の補充に際しては、装置本体１の正面側に設けられた蓋２′を開き、記録紙カセット２を装置本体１の正面から手前方向（装置前方）に引き出すことにより、カット紙を補充し得るようにしている。そのため、記録紙カセット２は装置本体１に対し正面から引き出せるように組み込まれている。なお、イメージ記録部１４は図４に示すように装置本体１の内部において記録紙カセット２の上方位置に配置されている。
　【００１５】
　また装置本体１の上面部には図３に示すように、上面に原稿読取り面１３を有するイメージ読取り部５が設けられている。このイメージ読取り部５は箱状の蓋体の空間部内に収容されると共に、その箱状蓋体の上面に原稿読取り面１３が形成されている。イメージ読取り部５は図示しないラインセンサを有し、例えば書物等のように厚みのある厚み原稿１１の一部を送信する際、該原稿１１が上面に配置された原稿読取り面１３上に載置されたとき、その原稿読取り面１３に沿ってラインセンサが移動することにより、原稿１１のイメージを読取るようにしている。
　【００１６】
　さらに、イメージ読取り部５を設けた蓋体の上面部には、原稿給紙トレイ７と原稿Ｕターン搬送機構４と原稿排紙トレイ兼用の原稿カバー６とが取付けられている。
　【００１７】
　原稿給紙トレイ７は、送信すべき薄いシート状の原稿１０をセットするためのものであって、図１及び図２に示すように後述する原稿カバー６の上に配置されている。この原稿給紙トレイ７は送信すべき最も大きいサイズ（例えばＡ３サイズ）の原稿１０より大きい形状の板体であって、原稿１０をセットしたとき、その原稿１０が原稿Ｕターン搬送機構４に落とし込めるように傾斜しており、しかも原稿カバー６に対し図２に示す如く、原稿Ｕターン搬送機構４側の一端部をヒンジとして回動可能に取付けられている。また、原稿給紙トレイ７において原稿Ｕターン搬送機構４寄りの位置の両側には、送信すべき原稿１０を案内するガイド７ａ，７ｂが取付けられ、該ガイド７ａと７ｂとは、送信すべき原稿１０の幅の大きさに応じその間隔を調整し得るようにしている。
　【００１８】
　原稿Ｕターン搬送機構４は装置本体１の上部左側に設置され、原稿給紙トレイ７上に送信すべき原稿１０を複数枚セットすると、その原稿１０を一枚ずつ順次取り込み、原稿給紙トレイ７の下方に位置した原稿カバー６の上に排出する。従って、原稿カバー６は原稿排紙トレイの機能をなしている。
　【００１９】
　該原稿カバー６は図２に示すように原稿給紙トレイ７の下方に配置され、しかも図３に示すように装置本体１の原稿読取り面１３を覆い得る大きさをなしており、原稿Ｕターン搬送機構４によって搬出された原稿１０を載置するようにしている。この原稿カバー６はイメージ読取り部５の上面において背面側の一端部をヒンジとし回動することによって開閉可能に取付けられ、原稿給紙トレイ７より原稿１０を送信する場合、図１に示す如く閉じた状態で使用し、原稿１１を送信する場合、図３に示す如く原稿１１を原稿読取り面１３上に載置するために開き、また該載置した原稿１１を原稿読取り面１３に押し付けるため閉じることによって使用する。そのため、原稿カバー６は、原稿１０が給紙トレイ７を利用して送信する場合に原稿排紙トレイの機能をなすと共に、原稿１１が原稿読取り面１３を利用して送信する場合に文字通りカバーの機能をなしている。
　【００２０】
　一方、前記イメージ読取り部５のラインセンサは、原稿給紙トレイ７により原稿１０を送信する際、イメージ読取り部５の内部において待機位置から原稿Ｕターン搬送機構４の下方位置に移動し、その移動した位置に固定された状態で原稿１０のイメージを読取るように構成されている。このため、原稿１０が原稿Ｕターン搬送機構４によって搬送されると、その原稿１０のイメージがラインセンサによって読取られ、読取られた原稿１２が図２に示す如く原稿カバー６上に送り出される。従って、ラインセンサは原稿給紙トレイ７と原稿読取り面１３との何れかを利用して送信するかに応じ、原稿Ｕターン搬送機構側への移動と、原稿読取り面１３に沿う移動とを選択的に行うようにしている。この場合、ラインセンサの移動は、本例では利用者が操作パネル８を操作したとき、制御部からの指令に基づいて動作するようになっているが、原稿１０が原稿給紙トレイ７にセットされたときと、原稿１１が原稿読取り面１３に載置されたときとに応じ所定の動作をするようにしても良い。
　【００２１】
　他方、カット紙に受信イメージを記録する前記イメージ記録部１４が、装置本体１内に回動可能に取付けられている。このイメージ記録部１４は、図４に示すように、装置本体１の左側面部に設けられたケース蓋１８に取付けられ、上述の如く記録紙カセット２の上方位置に配置され、イメージ読取り部５を持ち上げたとき、ケース蓋１８を反時計方向に回動することにより、装置本体１の左側に退避させるようにしている。そのため、ケース蓋１８は下部が装置本体１の左側面部にヒンジを介して回動可能に取付けられ、反時計方向に回動することによってイメージ記録部１４を装置本体１の左側に退避させ、かつ時計方向に回動することによってイメージ記録部１４を装置本体１の所定位置にセットできるようにしている。
　【００２２】
　また、イメージ読取り部５を収容した蓋体は図４に示すように、装置本体１の背面側の一端部に設けられたヒンジ５ａを介し、原稿読取り面１３，原稿Ｕターン搬送機構４，原稿カバー６、原稿給紙トレイ７トと共に回動するよう装置本体１に取付けられ、しかもそのヒンジを中心として回動して持ち上げたとき、その持ち上げた状態に保持するダンパー付スプリング１９を有している。
　【００２３】
　実施例のファクシミリ装置は、上記の如き構成よりなるので、次にその取扱いについて述べる。　受信時には、装置本体１に内蔵されたイメージ記録部１４により、受信イメージが記憶紙としてのカット紙に記録され、記録されたカット紙９が装置本体１の開口部３ａから記録紙排紙トレイ３上に排出される。記録紙排紙トレイ３が装置本体１のケースの一部をなしているので、図５に示す前者の従来技術に比較すると、装置本体１から外部に出っ張ることがない。しかも記録紙排紙トレイ３が装置本体１の右側の側面部に配置されているので、利用者が記録されたカット紙９を装置本体１の正面に向かった姿勢のままで取り出すことができる。また記録紙カセット２が装置本体１に対し正面から引き出せるように内蔵されているので、カット紙の補充作業を装置正面から行うことができ、後者の従来技術に比較すると、利用者が装置本体１の側部にいちいち動き回ることが不要になる。さらに、カット紙の搬送時に紙詰まりが発生した場合、図４に示すように、利用者がイメージ読取り部５を回動して持ち上げ、ダンパー付スプリング１９によって持ち上げた状態に保持した後、ケース蓋１８を図４に示す矢印の如く反時計方向に回動し、イメージ記録部１４を装置本体１の左側に移動することにより、紙詰まりしたカット紙を除去できる。この場合、装置本体１に対し、イメージ読取り部５を収容した蓋体が背面側のヒンジを中心として回動可能に取付けられると共に、イメージ記録部１４がケース蓋１８を介し装置本体１の左側面部に回動可能に取付けられているので、利用者は蓋体の開放（イメージ読取り部５の持ち上げ作業）と、ケース蓋１８の開放（イメージ記録部１４の移動作業）と、イメージ記録部１４の紙詰まりしたカット紙の除去作業とを装置正面から行うことができるばかりでなく、イメージ記録部１４内の現像ユニットのトナー（消耗品）の補充及び交換も装置正面から確実に行うことができる。
　【００２４】
　一方、原稿１０の送信に際しては、原稿１０を図１に示すように、原稿給紙トレイ７上にセットすると、その原稿１０が原稿Ｕターン搬送機構４によって取り込まれ、Ｕターンしながら搬送されることとなるが、その際、原稿１０のイメージがイメージ読取り部５のラインセンサによって読取られ、読取られた原稿１２が原稿カバー６上に排出される。
　【００２５】
　この場合、原稿カバー６が原稿１０の排紙トレイをなし、その上に原稿給紙トレイ７が配置されているので、前者の従来技術に比較すると、原稿給紙トレイ７が装置本体１から突出することがない。これに加え、原稿給紙トレイ７が原稿カバー６の上に対し左側のヒンジを中心として回動可能に取付けられているので、原稿給紙トレイ７を図２に示す如く回動させて持ち上げることにより、送信された原稿１０を取り出すことができ、従って、送信すべき原稿１０のセット及び送信された原稿１０の取り出しを装置正面から行うことができる。
　【００２６】
　また、書物等のような厚み原稿１１の送信に際しては、原稿カバー６を持ち上げ、原稿読取り面１３上に原稿１１を載置し、その原稿１１を原稿カバー６で原稿読取り面１３上に押し付けることにより送信する。この場合、原稿カバー６が装置本体１に対し背面側のヒンジを中心に回動可能に取付けられているので、原稿カバー６の持ち上げ操作も装置正面から行うことができる。
　【００２７】
　その結果、実施例のファクシミリ装置においては、利用者が受信及び送信に伴う操作のみならず、紙詰まりの解除，消耗品（トナー等）の補充及び交換に必要な作業をすべて装置本体１の正面から行うことができ、利用者がいちいち動き回る必要がない，
　【００２８】
　そして、イメージ読取り部５のラインセンサが、前記原稿１０の送信時には装置本体１内において原稿Ｕターン搬送機構４の下方位置に移動し、その移動した位置で原稿１０のイメージを読取り、かつ前記厚み原稿１１の送信時には装置本体１内で原稿読取り面１３に沿って移動することにより原稿１１のイメージを読取るように構成されているので、一組のイメージ読取り部５で原稿読取り面１３の原稿１１と原稿給紙トレイ７上の原稿１０との双方を読取ることができ、それだけ構成を簡素化できる。
　【００２９】
　なお図示実施例では、装置本体１の右側面部に記録紙排紙トレイ３が設けられ、左側面部にイメージ記録部１４が回動するように構成された例を示したが、それらの配置位置を逆にしても同様の効果がある。また、イメージ読取り部５，原稿カバー６，原稿給紙トレイ７を回動させる位置関係は、図示実施例に限定されるものではなく、要は、利用者が装置本体１の正面から操作し得るように構成すれば良い。
　【００３０】
　【発明の効果】
　以上述べたように、本発明によれば、記録紙カセットをファクシミリ装置本体に対し正面から引き出し可能な構成としているので、ファクシミリ装置の正面から記録紙の補充を行うことができ、使い勝手の良好なファクシミリ装置を提供できる。
　【００３１】
　また、本発明によれば、原稿をＵターン搬送機構とし、かつ原稿給紙トレイ部、原稿排紙トレイ部、記録紙排紙部をファクシミリ装置から外側に突き出さないように構成可能となり、省スペース化を図ることができ、設置し易いスリムなファクシミリ装置を提供できる。
【図面の簡単な説明】
　【図１】　本発明のファクシミリ装置の一実施例を示す外観斜視図。
　【図２】　原稿給紙トレイを開いた状態を示す説明図。
　【図３】　原稿カバーを開いた状態を示す説明図。
　【図４】　紙詰まりを解除するためイメージ読取り部及びイメージ記録部を開いた状態を示す説明図。
　【図５】　第一の従来技術のファクシミリ装置を示す外観斜視図。
　【符号の説明】
　１　…装置本体
　２…記録紙カセット
　３…記録紙排紙トレイ
　４…原稿Ｕターン搬送機構
　５…イメージ読取り部
　６…原稿排紙トレイ兼用の原稿カバー
　７…原稿給紙トレイ
　８…操作パネル
　９…記録されたカット紙
　１０…薄物のシート状原稿
　１１…厚み原稿
　１２…読み取られた原稿
　１３…原稿読取り面
　１４…イメージ記録部